(57)【要約】【課題】  同期コードを検出し難い状況が周期的に生じる場合でも、安定したデータ読み出しを可能にする。【解決手段】  同期コードの崩れが周期的に発生する状況において、同期コードの検出を間欠して行う。そのため、ある検出条件でデータ列Ｓ１０２から同期コードを検出して同期コード検出信号Ｓ１０３を出力する同期コード検出部１１と、各々同期コード検出信号Ｓ１０３がデータ列の同期コードであることを示す信号Ｓ１４５，Ｓ１４６を生成する同期検出部１２，１３と、両信号Ｓ１４５，Ｓ１４６をもとにデータ同期のための同期信号Ｓ３０１を出力する同期信号出力部１４と、同期信号Ｓ３０１をもとに間欠して信号Ｓ１４５，Ｓ１４６の生成を停止させるための同期検出停止信号Ｓ１４３，Ｓ１４４を生成する同期検出停止制御部１５とを設ける。【選択図】  図１
2005204167.tif 000002
【特許請求の範囲】
【請求項１】
光ディスクの複数のフレームから構成されるセクタが連続して入力されるデータ列から、データ同期のためにフレーム毎に存在する同期コードの検出を間欠して行うデータ同期装置であって、
ある検出条件で前記データ列から同期コードを検出して同期コード検出信号を出力する同期コード検出部と、
前記同期コード検出信号が前記データ列の同期コードであることを示す第１の信号を生成する第１の同期検出部と、
前記第１の信号をもとにデータ同期のための同期信号を出力する同期信号出力部と、
前記同期信号をもとに間欠して前記第１の信号の生成を停止させるための同期検出停止信号を生成する同期検出停止制御部とを備えたことを特徴とするデータ同期装置。
【請求項２】
請求項１記載のデータ同期装置において、
前記同期検出停止制御部は、入力した少なくとも１つの制御条件に応じて前記同期検出停止信号の間隔を制御する機能を有することを特徴とするデータ同期装置。
【請求項３】
請求項１記載のデータ同期装置において、
前記同期コード検出信号が前記データ列の同期コードであることを示す第２の信号を前記第１の同期検出部から独立して生成する第２の同期検出部を更に備え、
前記同期信号出力部は、前記第１及び第２の信号をもとにデータ同期のための同期信号を切り替えて出力し、
前記同期検出停止制御部は、前記同期信号をもとに間欠して前記第１及び第２の信号の生成を停止させるための同期検出停止信号をそれぞれ生成する機能を有することを特徴とするデータ同期装置。
【請求項４】
請求項３記載のデータ同期装置において、
同期条件を決定する信号を入力して前記第１及び第２の同期検出部のそれぞれの検出状態を示す信号から前記同期信号出力部による同期信号の出力を制御するための制御信号を生成する同期信号選択制御部を更に備えたことを特徴とするデータ同期装置。
【請求項５】
請求項４記載のデータ同期装置において、
前記同期コード検出部とは異なる検出条件で前記データ列から同期コードを検出して同期コード補助検出信号を出力する同期コード補助検出部と、
前記同期コード補助検出信号が前記データ列の同期コードであることを示す第３の信号を生成する第３の同期検出部とを更に備え、
前記同期信号出力部は、前記第１、第２及び第３の信号をもとにデータ同期のための同期信号を切り替えて出力し、
前記同期信号選択制御部は、前記第１、第２及び第３の同期検出部のそれぞれの検出状態を示す信号から前記同期信号出力部による同期信号の出力を制御するための制御信号を生成する機能を有することを特徴とするデータ同期装置。
【請求項６】
請求項１記載のデータ同期装置において、
前記光ディスクの各セクタ中に存在する固有データの検出により当該セクタ中のフレーム位置を表す情報取得信号を出力するための情報取得手段を更に備え、
前記同期検出停止制御部は、前記同期検出停止信号の間隔を制御するための制御条件の１つとして前記情報取得信号を使用することを特徴とするデータ同期装置。
【請求項７】
請求項６記載のデータ同期装置において、
前記情報取得手段は、
前記データ列より前記フレーム位置を表すアドレスを取得するアドレス取得部と、
セクタ同期信号を生成して前記アドレス取得部へ供給するセクタ同期部とを有することを特徴とするデータ同期装置。
【発明の詳細な説明】
【技術分野】
【０００１】
本発明は、光ディスクの複数のフレームから構成されるセクタが連続して入力されるデータ列から、データ同期のためにフレーム毎に存在する同期コードを検出するデータ同期装置に関するものである。
【背景技術】
【０００２】
ある従来技術によれば、コードレステレホンのハンドセットとベースユニットとの間で音声信号を送受信するとき、伝送されてきた同期信号の周期を検出し、この検出した周期に基づいて同期信号の非伝送期間にわたって信号をマスクして同期信号を検出するとともに、ある同期信号が検出されてから次の同期信号が検出されるまでの時間を測定し、この時間が本来の周期を超えたときに同期信号の検出出力に代えて疑似出力を得ることにより、同期信号にノイズが含まれていても、あるいは同期信号が欠落しても、その同期信号を正しく検出・分離することができ、また送信系と受信系とでマスタ発振パルスに周波数誤差があっても、送信系と受信系とでサブキャリア周波数の変化の同期をとることができるようにしている（特許文献１参照）。
【０００３】
ＣＤ（compact disk）、ＤＶＤ（digital versatile disk）等の光ディスクでは、複数フレームからなるセクタ単位でデータが記録され、データ同期のためにフレーム毎に同期コードが付与されている。このような光ディスクの再生装置では、同期コードの検出が重要技術の１つである。
【０００４】
ある従来技術によれば、過去に同期コードを検出した地点から次に同期コードの現れる場所をクロックの数に従って予測し、その予測位置（数ビット幅）に同期コードが検出できなくても検出できたものとしてフレーム同期を保つ。しかも、このフレーム同期信号保護動作において、ある条件で同期検出を初期状態から開始することにより、データ再生中に頻繁に行われるレンズキック後の再引き込みを早くすることができるようにしている（特許文献２参照）。
【特許文献１】特開昭６１−１５４２３４号公報
【特許文献２】特開平１０−１８８２９９号公報
【発明の開示】
【発明が解決しようとする課題】
【０００５】
光ディスクの再生信号から同期信号を検出する場合には、データの２値化が正しくできず、崩れた同期コードを読んでしまうことがある。この同期コードの崩れが周期的に発生するとき、前フレームを基準に同期コードを検出し、同期をかけないほうがよい場合がある。
【０００６】
本発明の目的は、同期コードを検出し難い状況が周期的に生じる場合でも、安定したデータ読み出しを可能にすることにある。
【課題を解決するための手段】
【０００７】
上記目的を達成するため、本発明に係るデータ同期装置では、光ディスクの複数のフレームから構成されるセクタが連続して入力されるデータ列から、データ同期のためにフレーム毎に存在する同期コードの検出を間欠して行うこととした。具体的には、ある検出条件で前記データ列から同期コードを検出して同期コード検出信号を出力する同期コード検出部と、前記同期コード検出信号が前記データ列の同期コードであることを示す第１の信号を生成する第１の同期検出部と、前記第１の信号をもとにデータ同期のための同期信号を出力する同期信号出力部と、前記同期信号をもとに間欠して前記第１の信号の生成を停止させるための同期検出停止信号を生成する同期検出停止制御部とを備えたデータ同期装置の構成を採用することとした。
【発明の効果】
【０００８】
本発明によれば、周期的に読み取りにくい同期コードを読まないようにすることで、崩れた同期コードによるデータの誤った同期を回避し、安定したデータ読み出しを行うことができる。
【発明を実施するための最良の形態】
【０００９】
以下、本発明の実施の形態について、図面を用いて説明する。
【００１０】
図１は、本発明に係るデータ同期装置の構成例を示している。図１のデータ同期装置は、光ディスクから再生された入力データＳ１０１を取り込むデータ取り込み部１０と、データ取り込み部１０が取り込んだデータ列Ｓ１０２からある検出条件で同期コードを検出して同期コード検出信号Ｓ１０３を出力する同期コード検出部１１と、同期コード検出信号Ｓ１０３がデータ列Ｓ１０２の同期コードであることを示す第１の信号Ｓ１４５を生成する第１の同期検出部１２と、同期コード検出信号Ｓ１０３がデータ列Ｓ１０２の同期コードであることを示す第２の信号Ｓ１４６を第１の同期検出部１２から独立して生成する第２の同期検出部１３と、第１及び第２の信号Ｓ１４５，１４６をもとにデータ同期のための同期信号Ｓ３０１を切り替えて出力する同期信号出力部１４と、同期信号Ｓ３０１をもとに間欠して第１及び第２の信号Ｓ１４５，Ｓ１４６の生成を停止させるための同期検出停止信号Ｓ１４３，Ｓ１４４をそれぞれ生成する同期検出停止制御部１５と、同期条件を決定する信号Ｓ１５３を入力して第１及び第２の同期検出部１２，１３のそれぞれの検出状態を示す信号Ｓ１５１，Ｓ１５２から同期信号出力部１４による同期信号Ｓ３０１の出力を制御するための制御信号Ｓ１５４を生成する同期信号選択制御部１６とを備えたデータ同期装置である。同期検出停止制御部１５は、入力した少なくとも１つの制御条件Ｓ１４１，Ｓ１４２に応じて同期検出停止信号Ｓ１４３，Ｓ１４４の間隔を制御する機能を有する。
【００１１】
図１のデータ同期装置は、同期検出停止制御部１５により、間欠した同期コードの検出を行ってデータ同期を実現するものである。これにより、崩れた同期コードによるデータの誤った同期を回避し、安定したデータ読み出しを行うことができる。しかも、制御条件Ｓ１４１，Ｓ１４２により、同期コードの１又は２以上の検出間隔をそれぞれ変更することができる。また、第１及び第２の同期検出部１２，１３は、互いに独立して機能するものである。更に、第１及び第２の同期検出部１２，１３のそれぞれの検出状態を示す信号Ｓ１５１，Ｓ１５２から判断して、いずれの同期検出部を使用するかを切り替えるものである。
【００１２】
図２は、本発明に係るデータ同期装置の他の構成例を示している。図２のデータ同期装置は、図１の構成に加えて、同期コード検出部１１とは異なる検出条件でデータ列Ｓ１０２から同期コードを検出して同期コード補助検出信号Ｓ１６２を出力する同期コード補助検出部２０と、同期コード補助検出信号Ｓ１６２がデータ列Ｓ１０２の同期コードであることを示す第３の信号Ｓ１６３を生成する第３の同期検出部２１とを更に備えたデータ同期装置である。同期信号出力部１４は、第１、第２及び第３の信号Ｓ１４５，１４６，Ｓ１６３をもとにデータ同期のための同期信号Ｓ３０１を切り替えて出力する。同期信号選択制御部１６は、第１、第２及び第３の同期検出部１２，１３，２１のそれぞれの検出状態を示す信号Ｓ１５１，Ｓ１５２，Ｓ１６４から同期信号出力部１４による同期信号Ｓ３０１の出力を制御するための制御信号Ｓ１５４を生成する。
【００１３】
図２のデータ同期装置によれば、同期コードの検出条件を変えた同様のブロック１１，２０により同期コードの検出状態を判断して、いずれの同期検出部を使用するかを切り替えることができる。
【００１４】
図３は、本発明に係るデータ同期装置の更に他の構成例を示している。図３のデータ同期装置は、図１の構成に加えて、データ列Ｓ１０２よりフレーム位置を表すアドレスを取得して情報取得信号Ｓ１７２を生成するアドレス取得部３０と、セクタ同期信号Ｓ１７３を生成してアドレス取得部３０へ供給するセクタ同期部３１とを更に備えたデータ同期装置である。情報取得信号Ｓ１７２は、光ディスクの各セクタ中に存在する固有データであるセクタＩＤをもとに得られ、当該セクタ中のフレーム位置を表す。同期検出停止制御部１５は、同期検出停止信号Ｓ１４３，Ｓ１４４の間隔を制御するための制御条件の１つとして情報取得信号Ｓ１７２を使用するようになっている。
【００１５】
図３のデータ同期装置によれば、各セクタ中に存在する固有データを検出することにより、当該セクタ中のフレーム位置を認識し、データ同期をかける条件に使用することができる。
【産業上の利用可能性】
【００１６】
以上説明してきたとおり、本発明に係るデータ同期装置は、周期的に読み取りにくい同期コードを読まないようにすることで、崩れた同期コードによるデータの誤った同期を回避し、安定したデータ読み出しを行うことができるので、光ディスク再生装置に極めて有用である。
【図面の簡単な説明】
【００１７】
【図１】本発明に係るデータ同期装置の構成例を示すブロック図である。
【図２】本発明に係るデータ同期装置の他の構成例を示すブロック図である。
【図３】本発明に係るデータ同期装置の更に他の構成例を示すブロック図である。
【符号の説明】
【００１８】
１０  データ取り込み部
１１  同期コード検出部
１２  第１の同期検出部
１３  第２の同期検出部
１４  同期信号出力部
１５  同期検出停止制御部
１６  同期信号選択制御部
２０  同期コード補助検出部
２１  第３の同期検出部
３０  アドレス取得部
３１  セクタ同期部
Ｓ１０１  入力データ
Ｓ１０３  同期コード検出信号
Ｓ３０１  同期信号
【図１】
2005204167.tif 000003
【図２】
2005204167.tif 000004
【図３】
2005204167.tif 000005